(57)【特許請求の範囲】
【請求項１】
座面の傾度を可変する機能と前記座面を回転する機能とを備えた車両用回転シートにおいて、
前記座面の傾度を可変する座面角度可変機構と、前記座面を回転する座面回転機構とを単一の駆動源で駆動するとともに、該駆動源からの駆動力で前記座面の一端部を昇降する第一のリンクと、該第一のリンクによる前記座面の変位に応じて当該座面の他端部を横方向へ変位させる第二のリンクとを備える一方、
前記座面を回転前位置に戻した状態で前記第一のリンクに戻し方向の力が付与されるように当該第一のリンクを駆動する駆動リンクの引込位置を設定したことを特徴とする車両用回転シート。
【請求項２】
前記座面の一端部を上昇方向へ付勢する助力スプリングを備えたことを特徴とする請求項１記載の車両用回転シート。
【請求項３】
前記座面を回転前位置に戻した状態で互いに嵌合して前記座面のがたつきを防止するガタ止め構造を備えたことを特徴とする請求項１又は２記載の車両用回転シート。
【発明の詳細な説明】
【技術分野】
【０００１】
本発明は、車両に設けられた車両用回転シートに関する。
【背景技術】
【０００２】
従来、シート本体を車両に対して回転できる車両用回転シートが知られている（例えば、特許文献１参照。）。
【０００３】
この車両用回転シートは、座面を車両前方へ向けた通常位置と側方の乗降口側へ向けた乗降位置との間で回動する回転機構を備えており、乗降時に前記乗降位置まで回動することによって、前記乗降口からの乗降が容易に行えるように構成されている。
【０００４】
また、前記車両用回転シートは、座面の傾度を可変するチルト機構を備えており、当該座面への離着座が容易となるように構成されている。
【０００５】
そして、この車両用回転シートでは、簡素な構造とドア連動作動を実現するもので、特別な操作を要せずに乗降性の向上が図れるように構成されている。
【特許文献１】特願２００６−２９８３４３
【発明の開示】
【発明が解決しようとする課題】
【０００６】
しかしながら、このような従来の車両用回転シートにあっては、座面の傾度を可変するチルト機構と、座面の回転を制御する回転機構とのそれぞれに駆動モータが設けられている。
【０００７】
このため、レイアウトスペースを要するとともに配線や制御が煩雑になるという課題が残されていた。
【０００８】
本発明は、このような従来の課題に鑑みてなされたものであり、簡素化を図ることができる車両用回転シートを提供することを目的とするものである。
【課題を解決するための手段】
【０００９】
前記課題を解決するために本発明の請求項１の車両用回転シートにあっては、座面の傾度を可変する機能と前記座面を回転する機能とを備えた車両用回転シートにおいて、前記座面の傾度を可変する座面角度可変機構と、前記座面を回転する座面回転機構とを単一の駆動源で駆動するとともに、該駆動源からの駆動力で前記座面の一端部を昇降する第一のリンクと、該第一のリンクによる前記座面の変位に応じて当該座面の他端部を横方向へ変位させる第二のリンクとを備える一方、前記座面を回転前位置に戻した状態で前記第一のリンクに戻し方向の力が付与されるように当該第一のリンクを駆動する駆動リンクの引込位置を設定した。
【００１０】
すなわち、この車両用回転シートでは、単一の駆動源で座面角度可変機構と座面回転機構とを駆動することによって、前記座面の傾度の可変と回転とを一つの駆動源によって行うことができる。
【００１１】
このため、前記座面角度可変機構と前記座面回転機構とのそれぞれに駆動源を設ける場合と比較して、構成する部品点数が削減されるとともに、構成の簡素化が図られる。
【００１２】
これに伴って、レイアウトスペースが削減されるとともに、配線や制御の簡素化が図られる。
【００１４】
また、前記駆動源からの駆動力で第一のリンクを駆動することによって前記座面の一端部が昇降され、当該座面の傾度が可変される。
【００１５】
このとき、前記第一のリンクによる前記座面の変位に応じて第二のリンクが作動することにより、当該座面の他端部が横方向へ変位され、該座面が回動される。
【００１７】
さらに、前記座面を回転前位置に戻した状態において、前記第一のリンクを作動する駆動リンクは引込位置に移動され、前記第一のリンクには、戻し方向の力が付与される。
【００１８】
このため、前記各リンクを駆動する機構部に生じ得るバックラッシュが抑制される。
【００１９】
また、請求項２の車両用回転シートにあっては、前記座面の一端部を上昇方向へ付勢する助力スプリングを備えている。
【００２０】
すなわち、前記座面には、着座者によって下方へ向けた荷重が加えられており、前記座面の一端部を昇降して傾度を可変する際には、前記一端部を上昇する速度よりも下降する速度が速くなる。
【００２１】
そこで、前記助力スプリングで前記座面の一端部を上昇する方向へ付勢することによって、前記座面の一端部の上昇を補助することができる。
【００２２】
さらに、請求項３の車両用回転シートにおいては、前記座面を回転前位置に戻した状態で互いに嵌合して前記座面のがたつきを防止するガタ止め構造を備えている。
【００２３】
すなわち、前記座面を回転前位置に戻した状態では、互いに嵌合して座面のがたつきを防止するガタ止め構造によって前記座面のがたつきが防止される。
【発明の効果】
【００２４】
以上説明したように本発明の請求項１の車両用回転シートにあっては、単一の駆動源で座面角度可変機構と座面回転機構とを駆動することができるため、前記座面の傾度の可変と回転とを一つの駆動源によって行うことができる。
【００２５】
このため、前記座面角度可変機構と前記座面回転機構とのそれぞれに駆動源を設ける場合と比較して、構成する部品点数を削減できるとともに、構成の簡素化を図ることができる。加えて、配線や制御の簡素化も図ることができる。したがって、低コスト化を図ることができる。
【００２６】
そして、レイアウトスペースを削減することができるため、レイアウトの自由度を高めることができる。
【００２７】
また、前記駆動源からの駆動力で第一のリンクを駆動して前記座面の一端部を昇降することで、当該座面の傾度を可変することができる。
【００２８】
このとき、前記第一のリンクによる前記座面の変位に応じて第二のリンクが作動して当該座面の他端部を横方向へ変位することで、該座面を回動することができる。
【００２９】
これにより、単一の前記駆動源によって前記座面の傾動と回動とを行うことができる。
【００３０】
さらに、前記座面を回転前位置に戻した状態において、前記第一のリンクを作動する駆動リンクが引込位置に移動することによって、前記第一のリンクに戻し方向の力を付与することができる。
【００３１】
このため、前記各リンクを駆動する機構部に生じ得るバックラッシュを抑えることができ、前記各リンクで駆動される前記座面の不用意ながたつきを防止することができる。
【００３２】
また、請求項２の車両用回転シートにあっては、前記助力スプリングで前記座面の一端部を上昇方向へ付勢することによって、前記座面の一端部の上昇を補助することができる。
【００３３】
このため、着座者からの荷重が加えられた前記座面の一端部を下降する際に、その下降速度の増大を抑えることができる。これにより、前記一端部の上昇速度と下降速度との速度差を少なくすることができる。
【００３４】
さらに、請求項３の車両用回転シートにおいては、前記座面を回転前位置に戻した状態において、互いに嵌合して座面のがたつきを防止するガタ止め構造によって、当該座面の不用意ながたつきを防止することができる。
【発明を実施するための最良の形態】
【００３５】
以下、本発明の一実施の形態を図に従って説明する。図１は、本実施の形態にかかる車両用回転シート１を示す図である。
【００３６】
この車両用回転シート１は、図２に示すように、車両の運転席に設置されており、運転座席を構成するシート本体１１を車両前方Ｆへ向けた回転前位置１２と、右側部に設けられた乗降口１３側へ向けた回転後位置１４との間で回動できるように構成されている。また、この車両用回転シート１は、図３に示すように、前記シート本体１１を前記回転前位置１２から前記回転後位置１４へ回動する際に、前上がり状態のシートクッション１５の座面１６における後端部を上昇するように構成されており、離座性の向上を図れるように構成されている。これにより、前記シート本体１１の前記座面１６の傾度を可変する機能と前記座面１６を回転する機能とを備えている。
【００３７】
前記シート本体１１は、図１に示したように、車体フロアに対して車両前後方向へスライド可能に支持されたスライドユニット２１と、該スライドユニット２１に支持された回転ユニット２２とを介して車体に支持されている。
【００３８】
この回転ユニット２２は、図４から図７に示すように、前記スライドユニット２１に固定されるベース３１と、該ベース３１に可動可能に支持された可動部３２とを備えており、該可動部３２に設定された複数の固定点３３，・・・で前記シートクッション１５を固定できるように構成されている。
【００３９】
前記ベース３１は図６にも示すように、対向して設けられた左サイドメンバ４１及び右サイドメンバ４２と、両サイドメンバ４１，４２の前端部を連結するクロスメンバ４３とによって後方へ向けて開口したコ字状に形成されている。
【００４０】
前記クロスメンバ４３の中央部には、後方へ向けて開口したコ字状の前部ブラケット５１が設けられており、該前部ブラケット５１の側面５２，５２には、前方軸５３，５３を介して前方リンクブラケット５４が揺動自在に支持されている。該前方リンクブラケット５４には、前方回転軸５５が右寄りの箇所に設けられており、該前方回転軸５５は、その上端及び下端が前記前方リンクブラケット５４に固定されている。
【００４１】
この前方回転軸５５には、第二のリンクとしての前方リンク６１の前端部が回動自在に支持されており、該前方リンク６１は、前記前方回転軸５５を中心に回動することによって、その自由端部を前記クロスメンバ４３に近接した状態と、後方へ延出した状態とを形成できるように構成されている。
【００４２】
前記ベース３１の前記左サイドメンバ４１の中央部には、駆動部７１が設けられている。該駆動部７１は、図外の制御装置から供給される電力によって制御される駆動源としての駆動モータ７２と、該駆動モータ７２によって作動するウォームギア等を有する減速ギアユニット７３とを備えており、該減速ギアユニット７３からの出力軸７４は、前記左サイドメンバ４１の内側面を挿通するように構成されている。
【００４３】
この出力軸７４には、ピニオンギア８１が固定されており、該ピニオンギア８１は、前記左サイドメンバ４１の内側面に回転軸８２を介して回動自在に支持された回転ギア８３に噛合するように構成されている。前記回転ギア８３は、扇状に形成されており、前記ピニオンギア８１と噛合するギア部８４が周縁に形成されている。
【００４４】
前記回転ギア８３の周縁部には、駆動力を伝達する為の駆動軸９１が突設されており、該駆動軸９１には、長板状の駆動リンク９２の前端部が回動自在に支持されている。これにより、前記駆動モータ７２で前記回転ギア８３を回動して前記駆動軸９１を前後方向へ移動することによって、該駆動軸９１に支持された前記駆動リンク９２を前後方向へ変位できるように構成されている。
【００４５】
前記回転ギア８３は、図７及び図８に示すように（図７中にカバー１０１の一側面を図示）、カバー１０１で覆われるように構成されており、該カバー１０１の内側面には、引込側リミットスイッチ１０２と押出側リミットスイッチ１０３とが設けられている。
【００４６】
前記引込側リミットスイッチ１０２は、前記押出側リミットスイッチ１０３より後方側に配置されており、当該引込側リミットスイッチ１０２から延出した引込側接触子１０５が前記回転ギア８３の前記駆動軸９１に当接した際にオフ作動するように構成されている。
【００４７】
前記押出側リミットスイッチ１０３は、前記引込側リミットスイッチ１０２より前方側に配置されており、当該押出側リミットスイッチ１０３から延出した押出側接触子１０６が前記回転ギア８３の前記駆動軸９１に当接した際にオフ作動するように構成されている。
【００４８】
前記ベース３１の前記両サイドメンバ４１，４２の後端部には、図４にも示したように、軸支持ブラケット１２１，１２１が設けられている。両軸支持ブラケット１２１，１２１には、後方軸１２２の端部が回動自在に支持されており、当該ベース３１の前記両サイドメンバ４１，４２の後端部には、前記後方軸１２２が架橋している。
【００４９】
この後方軸１２２の左端部には、縦長の三角板状の第一のリンクとしての左座面角度可変リンク１４１が設けられており、前記後方軸１２２の右端部には、縦長の三角板状の第一のリンクとしての右座面角度可変リンク１４２が設けられている。前記後方軸１２２の左端部は、図６にも示したように、前記左座面角度可変リンク１４１の底部後方側に位置する角部を貫通した状態で固定されており、前記後方軸１２２の右端部は、前記右座面角度可変リンク１４２の底部後方側に位置する角部を貫通した状態で固定されている。
【００５０】
前記左座面角度可変リンク１４１の底部前方側に位置する角部には、軸部１５０を介して前記駆動リンク９２の後端部が回動自在に支持されており、前記回転ギア８３の回転に伴う前記駆動軸９１の前後方向の変位を当該駆動リンク９２を介して前記左座面角度可変リンク１４１へ伝達できるように構成されている。
【００５１】
前記両座面角度可変リンク１４１，１４２の頂点部は、連結パイプ１５１によって連結されており、該連結パイプ１５１には、後方リンクブラケット１５２の前端部が回動自在に外嵌している。該後方リンクブラケット１５２は、前記連結パイプ１５１により後方へ向けて延出すうように構成されており、当該後方リンクブラケット１５２には、上方へ向けて延出した後方回転軸１５３が設けられている。そして、この後方回転軸１５３の上端部は、前記後方リンクブラケット１５２に設けられたハット型部品１５４の天面１５５に回動自在に支持されている。
【００５２】
前記後方軸１２２の両端部には、図４及び図６にも示すように、渦巻バネで構成された助力スプリング１６１，１６１が設けられている。各補助スプリング１６１，１６１中心側の一端部は、前記後方軸１２２に固定されており、外側の他端部は、対応する軸支持ブラケット１２１，１２１に係止されている。これにより、前記後方軸１２２には、前記各座面角度可変リンク１４１，１４２を起立させる方向へ向けて付勢する付勢力が各助力スプリング１６１，１６１によって付与されている。
【００５３】
前記可動部３２は、図６に示したように、相対向して設けられた左側板２０１及び右側板２０２と、両側板２０１，２０２の前端部を連結する前方連結板２０３と、両側板２０１，２０２の後端部を連結する後方連結板２０４とによって矩形枠状に形成されている。
【００５４】
前記前方連結板２０３の中央部には、支柱部２１１，２１１を介して挟持板２１２が設けられており、該挟持板２１２と前記前方連結板２０３との間には、結合軸２１３が左寄りの部位に設けられている。この連結軸２１３には、前記ベース３１から延出した前記前方リンク６１の後端部が回動自在に支持されており、前記前方回転軸５５を中心とした前記前方リンク６１の回動に応じて当該可動部３２の前端部を横方向へ変位できるように構成されている。
【００５５】
これにより、当該可動部３２に支持されたシート本体１１の前端部を横方向へ移動できるように構成されており、前記座面１６を回転する座面回転機構２２１が構成されている。
【００５６】
前記可動部３２の前記後方連結板２０４は、中央部が後方へ向けて突出したくの字状に形成されており、その中央部には、ボス部２３１が一体形成されている。該ボス部２３１には、上下に貫通した貫通穴が設けられており、当該ボス部２３１には、前記後方リンクブラケット１５２に設けられた前記後方回転軸１５３が回動自在に挿通している。
【００５７】
これにより、当該可動部３２の前記後方連結板２０４は、前記後方リンクブラケット１５２及び該後方リンクブラケット１５２を支持した前記両座面角度可変リンク１４１，１４２を介して前記ベース３１に支持されるとともに、前記各座面角度可変リンク１４１，１４２の回動に伴って昇降されるように構成されており、前記両座面角度可変リンク１４１，１４２によって当該可動部３２に支持された前記シートクッション１５の前記座面１６の傾度を可変する座面角度可変機構２５５が構成されている。
【００５８】
このとき、前記各座面角度可変リンク１４１，１４２を支持する前記後方軸１２２には、前記各助力スプリング１６１，１６１からの付勢力が前記各座面角度可変リンク１４１，１４２を起立させる方向へ向けて付与されており、前記可動部３２に支持された前記シートクッション１５の前記座面１６の後端部を上昇する方向へ付勢できるように構成されている。
【００５９】
このため、前記各助力スプリング１６１，１６１からの付勢力を、着座者の加重を打ち消す方向に作用させることができる。
【００６０】
そして、前記駆動モータ７１で前記両座面角度可変リンク１４１，１４２を回動する際には、両座面角度可変リンク１４１，１４２の自由端部の前後方向への変位に伴って、両座面角度可変リンク１４１，１４２に支持された前記後方リンクブラケット１５２及び該後方リンクブラケット１５２に支持された前記可動部３２を前後方向へ移動できるように構成されており、この可動部３２の前後移動に伴って前記ベース３１の前方回転軸５５に支持された前記前方リンク６１を回動して、該前方リンク６１の自由端部に支持された前記可動部３２の前端部を左右方向へ変位できるように構成されている。
【００６１】
これにより、前記座面角度可変リンク１４１，１４２による前記可動部３２に支持された前記シートクッション１５の座面１６の変位に応じて、当該座面１６の前端部を横方向へ変位できるように構成されている。
【００６２】
このように、前記駆動モータ７２で前記各座面角度可変リンク１４１，１４２を回動する際に、前記前方リンク６１を前記座面角度可変リンク１４１，１４２に連動して回動することで、前記座面１６の傾度を可変する前記座面角度可変リンク１４１，１４２を備えた前記座面角度可変機構２５５と、前記座面１６を回転する前記前方リンク６１を備えた前記座面回転機構２２１とを、単一の前記駆動モータ７２で駆動できるように構成されている。
【００６３】
このとき、前記回転ギア８３を覆う前記カバー１０１には、図７及び図８に示したように、前記回転ギア８３の前記駆動軸９１に当接してオフ作動する前記引込側リミットスイッチ１０２と前記押出側リミットスイッチ１０３とが設けられており、該押出側リミットスイッチ１０３は、前記駆動モータ７２で前記回転ギア８３を回動し前記シート本体１１が前記回転後位置１４に達した際に、当該押出側リミットスイッチ１０３の前記押出側接触子１０６が前記駆動軸９１に当接して作動する位置に設けられている。
【００６４】
この押出側リミットスイッチ１０３は、前記制御装置に接続されており、該制御装置は、前記押出側リミットスイッチ１０３のオフ作動を入力した際に、前記駆動モータ７２への通電を遮断して、送り方向への駆動を停止するように構成されている。これにより、前記シート本体１１が前記回転後位置１４に達した際には、当該シート本体１１の回動及び傾動を停止できるように構成されている。
【００６５】
また、前記引込側リミットスイッチ１０２は、前記駆動モータ７２で前記回転ギア８３を回動し前記シート本体１１が前記回転前位置１２に達した際に、当該引込側リミットスイッチ１０２の前記引込側接触子１０５が前記駆動軸９１に当接して作動する位置に設けられている。
【００６６】
この引込側リミットスイッチ１０２も、前記制御装置に接続されており、該制御装置は、前記引込側リミットスイッチ１０２のオフ作動を入力した際に、前記駆動モータ７２への通電を遮断して、戻し方向への駆動を停止するように構成されている。これにより、前記シート本体１１が前記回転前位置１２に達した際には、当該シート本体１１の回動及び傾動を停止できるように構成されている。
【００６７】
この引込側リミットスイッチ１０２は、前記座面１６を前記回転前位置１２に戻した状態で前記左座面角度可変リンク１４１に戻し方向の力が付与されるように、若干前方寄りに固定されており、前記各座面角度可変リンク１４１，１４２を駆動する前記駆動リンク９２の引込位置２４１は、この引込側リミットスイッチ１０２の固定位置によって設定されている。
【００６８】
これにより、前記駆動モータ７２は、前記シート本体１１が前記回転前位置１２に戻された時点では通電が継続され、前記回転ギア８３をさらに回動した時点で通電が遮断されるように構成されており、前記各座面角度可変リンク１４１，１４２は、前記シート本体１１が前記回転前位置１２に戻された時点で到達する戻し完了位置２５１より若干戻し方向へ回動されたテンション付与位置２５２で停止される。なお、前記シート本体１１は、機械的にロックされることによって前記回転前位置１２に維持されている。
【００６９】
このとき、前記回転ギア８３は、逆回転防止機能を有するウォームギア等で構成された減速ギアユニット７３に連結されている。このため、前記駆動モータ停止中には、前記戻し方向のテンションを継続的に前記座面角度可変リンク１４１，１４２に付与することができるように構成されている。
【００７０】
そして、前記可動部３２の前記前方連結板２０３の下部には、図１０に示すように、ウエッジ２６１が設けられている。該ウエッジ２６１は、首部２６２と、該首部２６２に設けられた先細り形状の嵌入部２６３とからなり、当該ウエッジ２６１は、キノコ状に形成されている。
【００７１】
このウエッジ２６１に対応する前記ベース３１の前記クロスメンバ４３の部位には、楕円形状の位置決めプレート２７０が設けられており、該位置決めプレート２７０には、前記ウエッジ２６１の嵌入部２６３が内嵌する円形の内嵌穴２６４が開設されている。
【００７２】
この位置決めプレート２７０は、前記シート本体１１を前記回転前位置１２にして前記座面１６を車両前方へ向けた状態で、前記ウエッジ２６１の前記嵌入部２６３が前記内嵌穴２６４に内嵌する位置に固定されており、前記座面１６のがたつきを防止するガタ止め構造２７１が前記ウエッジ２６１と前記内嵌穴２６４との嵌合構造によって構成されている。
【００７３】
以上の構成にかかる本実施の形態の車両用回転シート１では、単一の駆動モータ７２で座面角度可変機構２５５と座面回転機構２２１とを駆動することができるため、前記シートクッション１５の座面１６の傾度の可変と回転とを一つの駆動モータ７２によって行うことができる。
【００７４】
このため、前記座面角度可変機構２５５と前記座面回転機構２２１とのそれぞれに駆動モータを設ける場合と比較して、構成する部品点数を削減できるとともに、構成の簡素化を図ることができる。加えて、配線や制御の簡素化も図ることができる。したがって、低コスト化を図ることができる。
【００７５】
そして、レイアウトスペースを削減することができるため、レイアウトの自由度を高めることができる。
【００７６】
また、単一の駆動モータ７２による前記座面角度可変機構２５５と前記座面回転機構２２１との駆動、つまりワンモータ・ツーアクションは、ワイヤ式やリンク式が考えられるが、本実施の形態では、リンク式を採用した。このため、前記駆動モータ７２からの駆動力で座面角度可変リンク１４１，１４２を駆動して前記座面１６の後端部を昇降することで、当該座面１６の傾度を可変することができる。
【００７７】
このとき、前記座面角度可変リンク１４１，１４２による前記座面１６の変位に応じて前方リンク６１が作動することによって、当該座面１６の前端部を横方向へ変位して該座面１６を回動することができる。これにより、単一の前記駆動モータ７２による前記座面１６の傾動と回動とを実現することができる。
【００７８】
図１１は、リンク機構を示す概略図であり、対応箇所に対応する符号が付されている。
【００７９】
この図からも、前記駆動モータ７２で回動される前記回転ギア８３の回転動作に応じて、前記可動部３２後端部の昇降と回転とが連動して行われ、この可動部３２に支持されたシート本体１１の座面１６を傾動しつつ回転できることが分かる。
【００８０】
ここで、前記シート本体１１の前記座面１６には、着座者の体重によって下方へ向けた荷重が加えられており、前記座面１６の後端部を昇降して傾度を可変する際には、前記後端部を上昇する速度よりも下降する速度が速くなる。
【００８１】
そこで、本実施の形態では、後方軸１２２に設けられた前記助力スプリング１６１，１６１からの付勢力を前記座面角度可変リンク１４１，１４２に付与することによって、前記シート本体１１の前記座面１６の後端部を上昇する方向へ前記助力スプリング１６１，１６１の付勢力を付与することができ、前記座面１６の後端部の上昇を補助することができる。
【００８２】
このため、着座者からの荷重が加えられた前記座面１６の後端部を下降する際に、その下降速度の増大を抑えることができ、前記後端部の上昇速度と下降速度との速度差を少なくすることができる。
【００８３】
このとき、前記後端部の上昇に必要な駆動力を小さくすることができるため、小出力のモータの採用が可能となり、前記駆動モータ７２の小型化も図ることができる。
【００８４】
そして、前記座面１６を前記回転前位置１２に戻した状態で、前記各座面角度可変リンク１４１，１４２に戻し方向の力が付与されるように各座面角度可変リンク１４１，１４２を駆動する駆動リンク９２の引込位置２４１が引込側リミットスイッチ１０２の固定位置でを設定されている。
【００８５】
このため、前記シート本体１１の前記座面１６を前記回転前位置１２に戻した状態において、前記座面角度可変リンク１４１，１４２を作動する前記駆動リンク９２を前記引込位置２４１に移動することができ、前記座面角度可変リンク１４１，１４２に戻し方向の力を継続的に付与することができる。
【００８６】
これにより、前記各リンク９２，１４１，１４２や前記回転ギア８３やピニオンギア８１等の機構部に生じ得るバックラッシュを抑えることができ、前記各座面角度可変リンク１４１，１４２で駆動される前記シート本体１１の座面１６の不用意ながたつきを防止することができる。
【００８７】
加えて、この回転前位置１２では、前記可動部３２に設けられたウエッジ２６１の嵌入部２６３が、前記ベース３１に設けられた位置決めプレート２７０の内嵌穴２６４に内嵌するように構成されており、このガタ止め構造２７１によって前記シート本体１１の前記座面１６の不用意ながたつきを防止することもできる。
【００８８】
なお、本実施の形態にあっては、前記ガタ止め構造２７１を前記ウエッジ２６１で構成した場合を例に挙げて説明したが、これに限定されるものではなく、ダボテールで構成しても良い。
【図面の簡単な説明】
【００８９】
【図１】本発明の一実施の形態を示す分解図である。
【図２】同実施の形態の動作を示す平面図である。
【図３】同実施の形態の動作を示す側面図である。
【図４】同実施の形態の回転ユニットを示す後方からの斜視図である。
【図５】同実施の形態の回転ユニットを示す前方からの斜視図である。
【図６】同実施の形態の回転ユニットの回転後位置を示す前方からの斜視図である。
【図７】同実施の形態の回転ユニットに引込側リミットスイッチと押出側リミットスイッチとが設けられた状態を示す後方からの斜視図である。
【図８】同実施の形態の引込側リミットスイッチと押出側リミットスイッチとの動作状態を示す説明図である。
【図９】同実施の形態の回転ユニットの側面図である。
【図１０】同実施の形態のガタ止め機構を示す説明図である。
【図１１】同実施の形態のリンク機構の動作を示す為の説明図である。
【符号の説明】
【００９０】
１    車両用回転シート
１１    シート本体
１２    回転前位置
１５    シートクッション
１６    座面
２２    回転ユニット
２１    スライドユニット
３１    ベース
３２    可動部
６１    前方リンク
７１    駆動部
７２    駆動モータ
９２    駆動リンク
１４１    左座面角度可変リンク
１４２    右座面角度可変リンク
１６１    助力スプリング
２２１    座面回転機構
２４１    引込位置
２５５    座面角度可変機構
２６１    ウエッジ
２６３    嵌入部
２６４    嵌入穴
２７１    ガタ止め機構
【図１】
0005221169.tif 000002
【図２】
0005221169.tif 000003
【図３】
0005221169.tif 000004
【図４】
0005221169.tif 000005
【図５】
0005221169.tif 000006
【図６】
0005221169.tif 000007
【図７】
0005221169.tif 000008
【図８】
0005221169.tif 000009
【図９】
0005221169.tif 000010
【図１０】
0005221169.tif 000011
【図１１】
0005221169.tif 000012